(57)【要約】【課題】 分草体を左右に回動操作する遠隔操作レバーを穀稈の引起し搬送に支障をきたさない適所に配置し、分草体の回動操作を容易にし，操作性の向上を図る。【解決手段】植立穀稈を左右に分草する分草体（１１）と分草後の穀稈を引き起す引起し装置（１２）と引起し後の穀稈を刈り取る刈取装置（１３）を備えた刈取部（４）を設け、運転席（５）の前方に配置される既刈地側の分草体（１１Ｒ）を上下方向の軸（１６）の回りに左右方向へ回動自在に軸着して設け、遠隔操作レバー（２０）の前後方向の操作によって前記既刈地側の分草体（１１Ｒ）を左右方向に回動させる構成とし、該遠隔操作レバー（２０）を、刈取部（４）の最も右側に位置する引起しケース（１２ａ）の右外側方で、且つ、運転席（５）の前側の操作パネル（６）上に配置した操向操作レバー（８）よりも左側の位置に配置する。【選択図】        図２
2008295345.tif 000002
【特許請求の範囲】
【請求項１】
植立穀稈を左右に分草する分草体（１１）と分草後の穀稈を引き起す引起し装置（１２）と引起し後の穀稈を刈り取る刈取装置（１３）を備えた刈取部（４）を設け、運転席（５）の前方に配置される既刈地側の分草体（１１Ｒ）を上下方向の軸（１６）の回りに左右方向へ回動自在に軸着して設け、遠隔操作レバー（２０）の前後方向の操作によって前記既刈地側の分草体（１１Ｒ）を左右方向に回動させる構成とし、該遠隔操作レバー（２０）を、刈取部（４）の最も右側に位置する引起しケース（１２ａ）の右外側方で、且つ、運転席（５）の前側の操作パネル（６）上に配置した操向操作レバー（８）よりも左側の位置に配置したことを特徴とするコンバイン。
【請求項２】
前記遠隔操作レバー（２０）の前方下方への押し下げ操作によって前記既刈地側の分草体（１１Ｒ）が刈幅の内側に向かう左方向に回動し、該遠隔操作レバー（２０）の後方上方への引き上げ操作によって前記既刈地側の分草体（１１Ｒ）が刈幅の外側に向かう右方向に回動するように連繋したことを特徴とする請求項１記載のコンバイン。
【発明の詳細な説明】
【技術分野】
【０００１】
この発明は、植立穀稈を分草する分草装置を備えたコンバインに関するものである。
【背景技術】
【０００２】
従来、例えば、特許文献１には、既刈地側の分草体を左右方向へ回動自在に設け，引起しケースの背部に設けた遠隔操作レバーの左右方向の操作により、分草体を左側（刈幅の内側）又は右側（刈幅の外側）へ回動操作するように構成したものが開示されている。
【特許文献１】特開２００６−１５８３３２号公報
【発明の開示】
【発明が解決しようとする課題】
【０００３】
上記従来のものでは、遠隔操作レバーが引起しケースの背部に設置されたものであるため、引起し後の穀稈と干渉し、以後の引起し搬送に支障をきたす問題があった。また、この遠隔操作レバーは、左右方向の操作で分草体を左右に回動操作するものであるため、運転席からは操作がやりづらく、特に、運転席から遠ざかる左側方向への操作が容易ではなく、操作性に問題があった。
【０００４】
本発明の課題は、遠隔操作レバーを穀稈の引起し搬送に支障をきたさない適所に配置し、分草体の回動操作を容易にし，操作性の向上を図ることを目的とする。
【課題を解決するための手段】
【０００５】
この発明は、上記課題を解決すべく次のような技術的手段を講じた。
すなわち、請求項１記載の本発明は、植立穀稈を左右に分草する分草体（１１）と分草後の穀稈を引き起す引起し装置（１２）と引起し後の穀稈を刈り取る刈取装置（１３）を備えた刈取部（４）を設け、運転席（５）の前方に配置される既刈地側の分草体（１１Ｒ）を上下方向の軸（１６）の回りに左右方向へ回動自在に軸着して設け、遠隔操作レバー（２０）の前後方向の操作によって前記既刈地側の分草体（１１Ｒ）を左右方向に回動させる構成とし、該遠隔操作レバー（２０）を、刈取部（４）の最も右側に位置する引起しケース（１２ａ）の右外側方で、且つ、運転席（５）の前側の操作パネル（６）上に配置した操向操作レバー（８）よりも左側の位置に配置したことを特徴とするコンバインとしたものである。
【０００６】
遠隔操作レバー２０の前後方向の操作により、分草体１１Ｒを左方向又は右方向へ回動させ、分草幅を広くしたり狭めたりして穀稈の導入量を調整する。
遠隔操作レバー２０は、操作パネル６上に配置した操向操作レバー８の左側に配置しているため、該遠隔操作レバー２０の操作時に操向操作レバー８が障害とならず、また、最も右側の引起しケース１２ａの右側に配置しているので、遠隔操作レバー２０を操作パネル６側（運転席５側）から容易に操作することができる。
【０００７】
請求項２記載の本発明は、前記遠隔操作レバー（２０）の前方下方への押し下げ操作によって前記既刈地側の分草体（１１Ｒ）が刈幅の内側に向かう左方向に回動し、該遠隔操作レバー（２０）の後方上方への引き上げ操作によって前記既刈地側の分草体（１１Ｒ）が刈幅の外側に向かう右方向に回動するように連繋したことを特徴とする請求項１記載のコンバインとしたものである。
【０００８】
遠隔操作レバー２０を前方下方に押し下げ操作すると、分草体１１Ｒの先端が刈幅の内側となる左方向に回動して分草幅が狭くなり、分草幅内に導入される穀稈量は少なくなる。また、遠隔操作レバー２０が前方に突出していても導入穀稈の障害となりにくい。遠隔操作レバー２０を後方上方に引き上げ操作すると、分草体１１Ｒは刈幅の外側となる右方向に回動して分草幅が広くなり、導入される穀稈量が多くなるが、この場合には遠隔操作レバー２０が最も右側の引起しケース１２ａの右側上方に位置するので、導入穀稈と干渉しにくくなる。
【発明の効果】
【０００９】
以上要するに、請求項１の本発明によれば、遠隔操作レバー２０は、操作パネル６上に配置した操向操作レバー８の左側に配置しているため、該遠隔操作レバー２０の操作時に操向操作レバー８が障害となりにくく、また、最も右側の引起しケース１２ａの右側に配置しているので、この遠隔操作レバー２０を操作パネル６側から容易且つ迅速に操作することができ、操作性が向上する。
【００１０】
また、請求項２の本発明によれば、請求項１の発明の効果を奏するものでありながら、遠隔操作レバー２０を前方下方に押し下げ操作すると、分草体１１Ｒの先端が左方向に回動して分草幅が狭くなり、分草幅内に導入される穀稈量は少なくなるため、この遠隔操作レバー２０が前方に突出していても導入穀稈の障害とならない。また、遠隔操作レバー２０を後方上方に引き上げ操作すると、分草体１１Ｒは右方向に回動して分草幅が広くなり、導入される穀稈量も多くなるが、この場合は遠隔操作レバー２０が引起しケース１２ａの右側上方に位置するので、導入穀稈と干渉することがなく、以後の引起し搬送作用が整然と行え、刈取作業を能率よく行うことができる。
【発明を実施するための最良の形態】
【００１１】
この発明の実施例を図面に基づき説明する。
図１は、コンバインの側面図を示すものであり、この走行車体１には、左右一対の走行クローラ２，２を備え、後部に搭載した脱穀装置３の前方部に刈取部４を設置し，刈取部４の横側部には運転席５や操作ボックス６等からなる運転操作部を備え、更に、その運転操作部の後方には脱穀粒を一時的に貯留するグレンタンクＧを装備している。
【００１２】
操作ボックス６上にはアーチ状の固定ハンドル杆７が突設され、この固定ハンドル杆７は、右側を上方に高くした高位ハンドル部７ａと左側を下方に低くした低位ハンドル部７ｂとからなるように構成されている。操作ボックス６の右側には、前記高位ハンドル部７ａの前側において左右方向の操作で機体の進行方向を操向制御し、前後方向の操作で刈取部４を昇降制御する操向操作レバー８が設置されている。なお、操向操作レバー８は前記高位ハンドル部７ａに手首を載せた状態で左右又は前後に操作する。
【００１３】
刈取部４は、立毛する穀稈を左右に分草する分草体１１，１１，１１…と、分草後の穀稈を引き起す３条の穀稈引起し装置１２，１２，１２と、引起し後の穀稈を刈り取る刈取装置１３と、刈取後の穀稈を掻込搬送する搬送装置１４等からなる。各分草体１２，１２…は、刈取装置１３側から前方に突設する分草支持杆１５の先端に取り付けられている。
【００１４】
運転席６側に位置する、即ち、既刈地側に位置する右分草体１１Ｒは、先端側が左内側方又は右外側方に向けて回動するよう分草支持稈１５の途中部に設けた上下方向の縦軸（軸）１６回りに回動自在に枢着している。右分草体１１Ｒと一体回動する天秤アーム１７と分草支持杆１５の基端側から突設するステー１８との間に張圧スプリング１９を設けて、右分草体１１Ｒが常時左内側方に向けて回動する方向に付勢した構成としている。右分草体１１Ｒとこれの回動操作を遠隔操作する遠隔操作レバー２０とは、ワイヤ等の連結部材２１で接続して設け、該遠隔操作レバー２０の操作により、右分草体１１Ｒを左内側、又は右外側へ回動操作する構成としている。
【００１５】
そして、遠隔操作レバー２０は、最も右側に位置する引起しケース１２Ｒの右外側方で、前記運転席５前側の操作ボックス６上に配置した操向操作レバー８よりも左側に配置し、最右端の右引起し伝動パイプ２２から右側方に突設させた操作フレーム２３に左右横方向のピン軸２４を介して前後揺動操作可能に枢支している。従って、遠隔操作レバー２０を前方下方に押し下げ操作すると、右分草体１１Ｒの先端が左内側方に回動して分草幅が狭く（通常の分草幅に戻る）なり、分草幅内に導入される穀稈量は少なくなる（図４（イ）参照）。また、遠隔操作レバー２０を後方上方に引き上げ操作すると、右分草体１１Ｒは右外側方へ開く方向に回動して分草幅が広くなり、導入される穀稈量が多くなるようになっている（図４（ロ）参照）。
【００１６】
なお、遠隔操作レバー２０を支持する操作フレーム２３は、強固に構成された引起し伝動パイプに取り付けるので、安定した支持構成が得られ、特別な支持フレームを必要とせず、安価に実施することができる。また、前記操作フレーム２３には、注油操作レバー２６を有する集中注油ポンプ２７を取り付け、引起しケース１２Ｒと操作フレーム２３との間に配置した構成としている。注油ポンプは操作フレームと引起しケース間のスペースを有効に利用でき、また、操作フレームに注油ポンプと遠隔操作レバーとを組み付けた状態で刈取部に対し着脱できるので、組立作業が容易にできる。
【００１７】
また、図３に示すように、遠隔操作レバー２０は、前後及び上下方向におけるどの操作軌跡位置においても、側面視で引起しケース１２Ｒより外側に位置し、正面視でレバーの先端側が引起しケース１２Ｒと重なるように、該レバーの途中部から内方に向けて折り曲げた構成としている。これによれば、運転席に着座したオペレータの運転操作位置から右分草体に向けての視界を遮ることがなく、視界良好で分草性能を高めることができる。
なお、コンバインの既刈地側に位置するナローガイド２９は、右分草体１１Ｒの内外移動に伴い一体的に移動する構成とし、中割作業時におけるクローラの穀稈踏込みを防止する。
【００１８】
次に図８〜図１０に示す実施例について説明する。
多条刈のコンバインにおいて、刈取入力軸３０を内装軸架した入力伝動ケース３１を車体側から立設する懸架台３２上に架設し、入力伝動ケースの中間部位から前方に延びる縦フレーム３３、縦フレームの前端部から左右両側方に延びる中間横部材３４ａ及び中間横部材の両端から前方に延びる中間縦部材３４ｂ，３４ｃからなる門型フレーム３４、門型フレームの前端部に支持されて左右横方向に延びる刈取伝動ケース３５等により、刈取部４の各装置を架設して伝動可能に設け、この刈取部全体が前記刈取入力軸３０を回動支点として上下に昇降する構成としている。
【００１９】
縦フレーム３３内には縦伝動軸３６、門型フレーム３４内には中間横伝動軸３７ａ及び中間縦伝動軸３７ｂ，３７ｃが軸架され、また、刈取伝動ケース３５内には、バリカン式刈取装置１３、掻込搬送装置３８や引起し装置１２等を駆動する刈取伝動軸３９が架設されている。
【００２０】
図１０に示すように、刈取部４の前処理部（引起し装置、掻込搬送装置、刈取装置等）を左右に分割して左前処理部４Ｌと右前処理部４Ｒとからなるように構成し、前記門型フレーム３４部には、左右の前処理部を外側方へ揺動開閉可能とする上下方向の縦支軸４０を設け，引起しケースの非引起し作用面同士を分割面とするように構成すると共に、引起し装置１２上部の引起し駆動軸４２を内架する引起し駆動ケース４１部及び前記刈取伝動ケース３５部を分割部位として接合分離自在に構成している。いずれも強度の強い引起し駆動ケース部と刈取伝動ケース部同士を接合連結することで、左右前処理部の最先端部のずれを防止でき、位置決めを確実にすることができる。
【００２１】
図１１及び図１２に示す実施例は、図９に示すような門型フレーム３４（３４ａ，３４ｂ，３４ｃ）の構成に代えてＬ型フレーム４３を使用する構成としたものである。つまり、縦フレーム３３は入力伝動ケース３１から一方側前処理部４Ｒの刈取伝動ケース３５まで延出してストレートに連結する構成とし、Ｌ型フレーム４３は、縦フレーム３３の途中部から横方向に延びる横部材４３ａとこの横部材の端部から前方に延びて他方側前処理部４Ｌの刈取伝動ケース３５に連結する縦部材４３ｂとからなる構成とし、そして、このＬ型フレーム内の伝動軸４４ａ，４４ｂ及び刈取伝動軸３９を介して左前処理部４Ｌを駆動する構成である。
【００２２】
上記Ｌ型フレーム構成によれば、門型フレーム構成に比べ伝動構成が簡略化でき、前処理部の支持においても強固なものとすることができる。
【図面の簡単な説明】
【００２３】
【図１】コンバインの側面図
【図２】コンバインの正面図
【図３】同上要部の平面図
【図４】（イ）（ロ）は同上要部の概略正面図
【図５】同上要部の平面図
【図６】コンバインの要部の側面図
【図７】同上要部の正面図
【図８】別実施例におけるコンバインの側面図
【図９】同上要部の伝動経路図を示す
【図１０】同上要部の平面図
【図１１】別実施例のコンバイン要部の平面図
【図１２】同上要部の伝動経路図
【符号の説明】
【００２４】
１    走行車体
４    刈取部
５    運転席
６    操作ボックス
８    操向操作レバー
１１    分草体                       
１１Ｒ  右分草体（既刈地側の分草体）
１２    引起し装置
１２Ｒ  右の引起しケース
１３    刈取装置
１５    分草支持杆
１６    縦軸（上下方向の軸）
２０    遠隔操作レバー
２１    連結部材
【図１】
2008295345.tif 000003
【図２】
2008295345.tif 000004
【図３】
2008295345.tif 000005
【図４】
2008295345.tif 000006
【図５】
2008295345.tif 000007
【図６】
2008295345.tif 000008
【図７】
2008295345.tif 000009
【図８】
2008295345.tif 000010
【図９】
2008295345.tif 000011
【図１０】
2008295345.tif 000012
【図１１】
2008295345.tif 000013
【図１２】
2008295345.tif 000014